(57)【要約】【課題】既存のネットワーク装置の電源管理が困難である。【解決手段】ネットワークシステムに、所定の検出範囲の状況を検出して、検出範囲内にネットワークサービスを提供するか否かを確認するタイミングをイベントとして生成するセンサ装置と、センサ装置の検出可能範囲にネットワークサービスを提供するネットワーク装置と、ネットワーク装置に供給する電源を電源供給装置を用いて管理するネットワーク管理サーバとを設け、ネットワーク管理サーバがセンサ装置から通知されたイベントの受信タイミングに基づいて、検出範囲内のネットワークサービスを提供するか否かを判別し、判別結果に基づいて、電源供給装置を制御してネットワーク装置への電源供給を制御することとした。【選択図】図１
2010212829.tif 000002
【特許請求の範囲】
【請求項１】
所定の検出範囲の状況を検出して、検出範囲内にネットワークサービスを提供するか否かを確認するタイミングをイベントとして生成するセンサ装置と、
前記センサ装置の検出可能範囲に、ネットワークサービスを提供するネットワーク装置と、
前記ネットワーク装置に供給する電源を、電源供給装置を用いて管理するネットワーク管理サーバと
を備え、
前記ネットワーク管理サーバは、
前記センサ装置から通知されたイベントの受信タイミングに基づいて、検出範囲内のネットワークサービスを提供するか否かを判別し、
判別結果に基づいて、前記電源供給装置を制御して前記ネットワーク装置への電源供給を制御する
ことを特徴とするネットワークシステム。
【請求項２】
ネットワークに接続され、所定のセンサ検出範囲の状況を検出して停止又は提供イベントを送信するセンサ装置と、
前記センサ装置から停止又は提供イベントを受信し、前記停止又は提供イベントに基づいて、前記センサ装置の検出可能範囲に提供するネットワーク接続を管理するネットワーク管理サーバと、
前記センサ装置の検出可能範囲に、ネットワーク接続を提供するネットワーク中継装置と、
前記ネットワーク中継装置に供給する電源を管理する電源供給装置と
を備え、
前記ネットワーク管理サーバは、
前記センサ装置からの停止イベントを検出した場合に、前記ネットワーク中継装置の使用状態を確認し、
確認結果から前記ネットワーク中継装置を介してネットワーク接続を行う情報処理装置の有無を判別し、
前記情報処理装置の接続がない場合に前記電源供給装置を制御して前記ネットワーク中継装置への電源供給を停止する
ことを特徴とするネットワークシステム。
【請求項３】
前記ネットワーク管理サーバは、
前記センサ装置からの提供イベントを検出した場合に、前記ネットワーク中継装置のネットワーク接続の提供に要する上位装置を確認し、
確認結果から前記上位装置のネットワーク接続の有無を判別し、
前記上位装置のネットワーク接続を優先して回復させてから、前記電源供給装置を制御して前記ネットワーク中継装置への電源供給を供給する
ことを特徴とする請求項２記載のネットワークシステム。
【請求項４】
前記ネットワーク中継装置を介して前記センサ装置のセンサ検出範囲に提供されるネットワークに対して、ネットワークサービスを提供するサーバを更に備え、
前記ネットワーク管理サーバは、
前記センサ装置からのイベントの受信タイミングに基づいて、前記ネットワークサービスを提供するサーバのサービスを介するネットワーク中継装置の有無を判別し、
判別結果に基づいて、前記サーバを停止又は休止させる
ことを特徴とする請求項２又は３に記載のネットワークシステム。
【請求項５】
前記ネットワーク中継装置が複数段で構成され、下段のネットワーク中継装置の提供するネットワークに対して前記センサ装置の検出可能範囲が割当てられている場合、
前記ネットワーク管理サーバは、
前記センサ装置から通知されるイベントの受信タイミングに基づいて、前記下段のネットワーク中継装置の使用状況を確認し、
確認結果に基づいて、前記電源供給装置を制御して前記下段のネットワーク中継装置への電源供給を制御し、
加えて、前記下段のネットワーク中継装置の上位装置となるネットワーク中継装置の使用状況を確認し、
確認結果に基づいて、前記上位装置の電源制御を行い、ネットワークの停止時には下段から順に停止し、ネットワークの回復時には上位装置から順に動作させる
ことを特徴とする請求項４記載のネットワークシステム。
【請求項６】
前記センサ装置は、光センサを有し、所定検出範囲内の輝度を検出して、所定値以下の場合に停止イベントを送信し、
所定値を超える場合に提供イベントを送信する
ことを特徴とする請求項１ないし５の何れか一記載のネットワークシステム。
【請求項７】
前記センサ装置は、撮像素子を有し、前記撮像素子を用いて所定検出範囲内の画像を取得して、取得した画像に基づいて人間の存在の有無又は情報処理装置の動作の有無を検出して、人間が居ない及び／又は情報処理装置が動作していない場合に停止イベントを送信し、
人間が居る及び／又は情報処理装置が動作している場合に提供イベントを送信する
ことを特徴とする請求項１ないし５の何れか一記載のネットワークシステム。
【請求項８】
前記センサ装置は、赤外線センサを有し、前記赤外線センサを用いて所定検出範囲内に人間の存在の有無又は情報処理装置の動作の有無を検出して、人間が居ない及び／又は情報処理装置が動作していない場合に停止イベントを送信し、
人間が居る及び／又は情報処理装置が動作している場合に提供イベントを送信する
ことを特徴とする請求項１ないし５の何れか一記載のネットワークシステム。
【請求項９】
前記センサ装置は、所定範囲内外の通過を管理するＩＣカードリーダを有し、前記ＩＣカードリーダを用いて所定範囲内に人間の存在の有無を管理して、人間が居ない場合に停止イベントを送信し、
人間が居る場合に提供イベントを送信する
ことを特徴とする請求項１ないし５の何れか一記載のネットワークシステム。
【請求項１０】
所定のネットワーク装置によるネットワークサービス提供可能範囲に、ネットワークサービスを提供するか否かを確認するタイミングを、所定の検出範囲の状況を検出して前記タイミングをイベントとして送信するセンサ装置から受信するイベント受信部と、
前記イベント受信部でイベントを受信した場合に、受信したイベントに基づいて、検出範囲内のネットワークサービスを提供するか否かを判別し、
判別結果に基づいて、前記ネットワーク装置に供給する電源を、電源供給装置をリモート制御する制御部と
を有することを特徴とするネットワーク管理サーバ。
【請求項１１】
ネットワークを介して通信可能な、所定のセンサ検出範囲の状況を検出して停止又は提供イベントを送信するセンサ装置から送信されたイベントを受信するイベント受信部と、
前記イベント受信部で停止又は提供イベントを受信した場合に、前記イベントに対応するネットワークの制御ポリシーを検出して取得する制御ポリシー取得部と、
前記制御ポリシー取得部で取得した制御ポリシーに基づいて、前記センサ装置の検出可能範囲のネットワーク中継装置の状態を確認するネットワーク状態管理部と、
前記ネットワーク状態管理部での確認結果から前記ネットワーク中継装置を介してネットワーク接続を行う情報処理装置の有無を判別する制御判別部と、
前記制御判別部での判別結果と前記制御ポリシーとに基づいて、前記ネットワーク中継装置に供給する電源を管理する電源供給装置を制御する電源制御部と
を有することを特徴とするネットワーク管理サーバ。
【請求項１２】
前記センサ装置からの提供イベントを検出した場合に、前記ネットワーク中継装置のネットワーク提供に要する上位装置を確認し、
確認結果から前記上位装置のネットワーク接続の有無を判別し、
前記上位装置のネットワーク接続を優先して回復させてから、前記電源供給装置を制御して前記ネットワーク中継装置への電源供給を供給する
ことを特徴とする請求項１１記載のネットワーク管理サーバ。
【請求項１３】
前記センサ装置からのイベントに基づいて前記ネットワーク中継装置を停止させた場合に、前記ネットワーク中継装置を介して前記センサ装置のセンサ検出範囲に提供されるネットワークに対して、ネットワークサービスを提供するサーバを停止又は休止させる
ことを特徴とする請求項１１又は１２に記載のネットワーク管理サーバ。
【請求項１４】
前記ネットワーク中継装置が複数段に構成され、下段のネットワーク中継装置の提供するネットワークに対して前記センサ装置の検出可能範囲が割当てられている場合、
前記センサ装置から通知されるイベントに基づいて、前記下段のネットワーク中継装置の動作状況を確認し、
確認結果に基づいて、前記電源供給装置を制御して前記下段のネットワーク中継装置への電源供給を制御し、
加えて、前記下段のネットワーク中継装置の上位装置であるネットワーク中継装置の動作状況を確認し、
確認結果に基づいて、前記上位装置の電源制御し、
当該電源制御は、ネットワークの停止時には末端から順に停止し、ネットワークの回復時には上位から順に動作させる
ことを特徴とする請求項１３記載のネットワーク管理サーバ。
【請求項１５】
サーバの制御部を、
所定のネットワーク装置によるネットワークサービス提供可能範囲に、ネットワークサービスを提供するか否かを確認するタイミングを、所定の検出範囲の状況を検出して前記タイミングをイベントとして送信するセンサ装置から受信するイベント受信手段と、
前記イベント受信部でイベントを受信した場合に、受信したイベントに基づいて、検出範囲内のネットワークサービスを提供するか否かを判別し、
判別結果に基づいて、前記ネットワーク装置に供給する電源を、電源供給装置をリモート制御する制御手段と
して機能させることを特徴とするネットワーク管理プログラム。
【請求項１６】
サーバの制御部を、
ネットワークを介して通信可能な、所定のセンサ検出範囲の状況を検出して停止又は提供イベントを送信するセンサ装置から送信されたイベントを受信するイベント受信手段と、
前記イベント受信部で停止又は提供イベントを受信した場合に、前記イベントに対応するネットワークの制御ポリシーを検出して取得する制御ポリシー取得手段と、
前記制御ポリシー取得部で取得した制御ポリシーに基づいて、前記センサ装置の検出可能範囲のネットワーク中継装置の状態を確認するネットワーク状態管理手段と、
前記ネットワーク状態管理部での前記ネットワーク中継装置を介してネットワーク接続を行う情報処理装置の有無を判別する制御判別手段と、
前記制御判別部での判別結果と前記制御ポリシーとに基づいて、前記ネットワーク中継装置に供給する電源を管理する電源供給装置を制御する電源制御手段と
して機能させることを特徴とするネットワーク管理プログラム。
【請求項１７】
前記センサ装置からの提供イベントを検出した場合に、前記ネットワーク中継装置のネットワーク提供に要する上位装置を確認し、
確認結果から前記上位装置のネットワーク接続の有無を判別し、
前記上位装置のネットワーク接続を優先して回復させてから、前記電源供給装置を制御して前記ネットワーク中継装置への電源供給を供給する
ように動作させることを特徴とする請求項１６記載のネットワーク管理プログラム。
【請求項１８】
前記センサ装置からのイベントに基づいて前記ネットワーク中継装置を停止させた場合に、前記ネットワーク中継装置を介して前記センサ装置のセンサ検出範囲に提供されるネットワークに対して、ネットワークサービスを提供するサーバを停止又は休止させる
ように動作させることを特徴とする請求項１６又は１７に記載のネットワーク管理プログラム。
【請求項１９】
前記ネットワーク中継装置が複数段に構成され、下段のネットワーク中継装置の提供するネットワークに対して前記センサ装置の検出可能範囲が割当てられている場合、
前記センサ装置から通知されるイベントに基づいて、前記下段のネットワーク中継装置の動作状況を確認し、
確認結果に基づいて、前記電源供給装置を制御して前記下段のネットワーク中継装置への電源供給を制御し、
加えて、前記末端のネットワーク中継装置の上位装置であるネットワーク中継装置の動作状況を確認し、
確認結果に基づいて、前記上位装置の電源制御し、
当該電源制御は、ネットワークの停止時には下段から順に停止し、ネットワークの回復時には上位から順に動作させる
ように動作させることを特徴とする請求項１８に記載のネットワーク管理プログラム。
【請求項２０】
所定の検出範囲の状況を検出して、検出範囲内にネットワークサービスを提供するか否かを確認するタイミングをイベントとして生成するセンサ装置と、前記センサ装置の検出可能範囲に、ネットワークサービスを提供するネットワーク装置と、前記ネットワーク装置に供給する電源を、電源供給装置を用いて管理するネットワーク管理サーバとを用いて、
前記センサ装置から通知されたイベントの受信タイミングに基づいて、検出範囲内のネットワークサービスを提供するか否かを判別し、
判別結果に基づいて、前記電源供給装置をリモート制御して前記ネットワーク装置への電源供給を制御する
ことを特徴とするネットワーク管理方法。
【請求項２１】
ネットワークに接続され、所定のセンサ検出範囲の状況を検出して停止又は提供イベントを送信するセンサ装置と、前記センサ装置から停止又は提供イベントを受信し、前記停止又は提供イベントに基づいて、前記センサ装置の検出可能範囲に提供するネットワーク接続を管理するネットワーク管理サーバと、前記センサ装置の検出可能範囲にネットワーク接続を提供するネットワーク中継装置と、前記ネットワーク中継装置に供給する電源を管理する電源供給装置とを用いて、
前記センサ装置からの停止イベントを検出した場合に、前記ネットワーク中継装置の使用状態を確認し、
確認結果から前記ネットワーク中継装置を介してネットワーク接続を行う情報処理装置の有無を判別し、
前記情報処理装置の接続がない場合に前記電源供給装置を制御して前記ネットワーク中継装置への電源供給を停止する
ことを特徴とするネットワーク管理方法。
【請求項２２】
前記センサ装置からの提供イベントを検出した場合に、前記ネットワーク中継装置のネットワーク提供に要する上位装置を確認し、
確認結果から前記上位装置のネットワーク接続の有無を判別し、
前記上位装置のネットワーク接続を優先して回復させてから、前記電源供給装置を制御して前記ネットワーク中継装置への電源供給を供給する
ことを特徴とする請求項２１記載のネットワーク管理方法。
【請求項２３】
前記ネットワーク中継装置を介して前記センサ装置のセンサ検出範囲に提供されるネットワークにネットワークサービスを提供するサーバに対して、
前記センサ装置からのイベントの受信タイミングに基づいて、前記ネットワークサービスを提供するサーバのサービスを介するネットワーク中継装置の有無を判別し、
判別結果に基づいて、前記サーバを停止又は休止させる
ことを特徴とする請求項２１又は２２に記載のネットワーク管理方法。
【請求項２４】
前記ネットワーク中継装置が複数段に構成され、下段のネットワーク中継装置の提供するネットワークに対して前記センサ装置の検出可能範囲が割当てられている場合、
前記センサ装置から通知されるイベントの受信タイミングに基づいて、前記下段のネットワーク中継装置の使用状況を確認し、
確認結果に基づいて、前記電源供給装置を制御して前記下段のネットワーク中継装置への電源供給を制御し、
加えて、前記下段のネットワーク中継装置の上位装置であるネットワーク中継装置の使用状況を確認し、
確認結果に基づいて、前記上位装置の電源制御を行い、ネットワークの停止時には下段から順に停止し、ネットワークの回復時には上位から順に動作させる
ことを特徴とする請求項２３記載のネットワーク管理方法。
【請求項２５】
前記センサ装置は、光センサ、撮像素子、赤外線センサ、ＩＣカードリーダの何れか又はその組み合わせのセンサを用いて、ネットワーク装置を停止又は動作させるイベントを生成して、ネットワーク管理サーバに送信することによって、ネットワーク管理サーバにネットワークサービスを提供するか否かを確認させることを特徴とする請求項２０ないし２４の何れか一記載のネットワーク管理方法。
【請求項２６】
前記センサ装置は、撮像素子、ＩＣカードリーダの何れか又はその組み合わせのセンサを用いて検出者のセキュリティーレベルを判別し、前記判別したセキュリティーレベルに基づいて、ネットワーク装置を停止又は動作させるイベントを生成して、ネットワーク管理サーバに送信することによって、ネットワーク管理サーバにネットワークサービスを提供するか否かを確認させることを特徴とする請求項２０ないし２４の何れか一記載のネットワーク管理方法。
【発明の詳細な説明】
【技術分野】
【０００１】
本発明は、所定エリアにネットワークを提供する既存のネットワーク装置の電源を管理可能とするネットワークシステム、ネットワーク管理サーバ、ネットワーク管理プログラム、および電源管理方法に関する。
【背景技術】
【０００２】
近年、設備機器に対して、省電力化を図る要求が有る。他方、設備投資は、際限なく行なえないので、既存の設備機器を有効に活用する必要もある。
【０００３】
多くの設備機器は、省電力モードなる動作モードを有し、所定時間の経過や他の制御装置からの省電力モードへの移行要求に基づいて、通常モードから省電力モードに移行可能である。  
省電力に関する技術の一例としては、設備機器（空調や光源など）の省電力モードへの移行を設備機器の周囲に設置されたＯＡ（Office Automation）機器（パーソナルコンピュータや複合機など）の省電力モードに連動させ、加えて、ＯＡ機器の省電力モードへの移行をＯＡ機器の周囲に設置された設備機器の省電力モードに連動させる技術もある（特許文献１参照）。  
また、特許文献１には、ＬＡＮ（Local Area Network）に接続され、他の機器と通信する光センサ装置、カードリーダ装置、温度センサ装置が記載されている。
【先行技術文献】
【特許文献】
【０００４】
【特許文献１】特開２００７−２２１９４２号公報
【発明の概要】
【発明が解決しようとする課題】
【０００５】
特許文献１に記載されたネットワークシステムのように、設備機器、ＯＡ機器の省電力化は進んでいるものの、ネットワーク中継装置の省電力化は、一向に進んでいない。また、サーバの省電力化に未だ課題を残す。
【０００６】
既存のネットワーク中継装置には、常に電源が供給されている。これは、ネットワーク中継装置を設置する場所や、ネットワーク中継装置の有する機能に原因がある。  
ネットワーク中継装置は、その目的から、施設内の至る箇所に設置する必要が有る。また、ネットワーク中継装置は、基幹ネットワークへのバイパスと成りえることや、その重要性から、一般的に非管理者によるアクセスを禁じられている。加えて、機種毎の電源制御手順が相違している。  
それゆえ、ネットワーク中継装置は、床下や天井に設置され、利用者がいない状況であっても、常に電源を供給され続けている。
【０００７】
また、ネットワーク上でサービスを提供しているサーバに関しては、不特定多数の利用者がいるため、サーバの電源を落とすタイミングの判断が難しく、利用者がいない状況であっても、常に電源を供給され続けている。一例としては、社内の基幹ファイルサーバのように基幹に近いサーバほど、得てして常に電源を供給され続けている。
【０００８】
即ち、ネットワーク中継装置や前述のサーバのような、既存のネットワークサービスを提供するネットワーク装置では、管理者による電源管理が行なわれており、非管理者である利用者の主観で電源管理を行なうことに問題があった。
【０００９】
また、管理者に寄らずに、既存のネットワークサービスを提供する装置の電源管理を設置場所で行なった場合、多くのネットワークに導入されているネットワーク管理サーバの故障検出機能において、故障等との区分けが付かない課題がある。
【００１０】
本発明は、上記課題に鑑み成されたものであり、既存のネットワークサービスを提供するネットワーク装置に対して有効に電源制御を行えるネットワークシステム、ネットワーク管理サーバ、ネットワーク管理プログラム、および電源管理方法の提供を目的とする。
【課題を解決するための手段】
【００１１】
本発明のネットワークシステムは、所定の検出範囲の状況を検出して、検出範囲内にネットワークサービスを提供するか否かを確認するタイミングをイベントとして生成するセンサ装置と、前記センサ装置の検出可能範囲に、ネットワークサービスを提供するネットワーク装置と、前記ネットワーク装置に供給する電源を、電源供給装置を用いて管理するネットワーク管理サーバとを備え、前記ネットワーク管理サーバは、前記センサ装置から通知されたイベントの受信タイミングに基づいて、検出範囲内のネットワークサービスを提供するか否かを判別し、判別結果に基づいて、前記電源供給装置を制御して前記ネットワーク装置への電源供給を制御することを特徴とする。
【発明の効果】
【００１２】
本発明によれば、既存のネットワークサービスを提供するネットワーク装置に対して有効に電源制御を行えるネットワークシステム、ネットワーク管理サーバ、プログラム、および電源管理方法を提供できる。
【図面の簡単な説明】
【００１３】
【図１】本発明の実施の一形態のネットワークシステム１を示す構成図である。
【図２】ネットワーク管理サーバ１０を示す機能ブロック図である。
【図３】制御ポリシーＤＢにて管理する管理データの一例を示す説明図である。
【図４】センサ装置４０の構成例を示すブロック図である。
【図５】ネットワーク管理サーバ１０の停止イベントを受信した場合の処理を示すフローチャートである。
【図６】ネットワーク管理サーバ１０の提供イベントを受信した場合の処理を示すフローチャートである。
【図７】別の実施の一形態のネットワークシステム２を示す構成図である。
【図８】制御ポリシーＤＢにて管理する管理データの一例を示す説明図である。
【図９】制御ポリシーＤＢにて管理する管理データの一例を示す説明図である。
【発明を実施するための形態】
【００１４】
次に、本発明の実施形態の構成について図面を参照して詳細に説明する。  
図１は、本発明の実施の一形態のネットワークシステム１を示す構成図である。図に示すように、ネットワークシステム１は、ネットワーク管理サーバ１０、ネットワーク中継装置２０、電源供給装置３０、センサ装置４０、およびネットワーク５０で構成される。また、ネットワークシステム１には、センサ装置４０の有するセンサの検出範囲内に、ネットワーク中継装置２０を介して他の情報処理装置と通信するクライアントコンピュータ１００が接続されている。
【００１５】
ネットワーク管理サーバ１０は、センサ装置４０の検出可能範囲でクライアントコンピュータ１００に提供するネットワーク接続を管理する。尚、ネットワーク管理サーバ１０については、後に詳説する。
【００１６】
ネットワーク中継装置２０は、電源供給装置３０から電源供給を受けて、センサ装置４０の検出可能範囲に対して、ネットワーク接続を提供する。ネットワーク中継装置２０には、例えば、インテリジェント型、ノンインテイリジェント型などが有るが、何れでも使用可能であり、それぞれ後述するようにネットワーク管理サーバ１０を動作させれば良い。
【００１７】
電源供給装置３０は、ネットワーク管理サーバ１０からの通知情報に基づいて、ネットワーク装置２０に供給する電源を管理する。尚、電源供給装置３０における電源の管理は、ネットワーク管理サーバ１０からのリモート接続を用いても良いし、ネットワーク管理サーバ１０から送信される所定の信号（コマンドパターン）に基づき、行なっても良い。また、ネットワーク管理サーバ１０は、ネットワーク５０を介さずとも、他の通信ルートで電源供給装置３０を制御しても良い。
【００１８】
センサ装置４０は、所定のセンサ検出範囲の状況を検出して、その検出結果をイベントとしてネットワーク管理サーバ１０に通知する。当該イベントは、ネットワーク管理サーバ１０において、ネットワークサービスを提供するか否かを確認するタイミングとなる。  図２は、ネットワーク管理サーバ１０を示す機能ブロック図である。ネットワーク管理サーバ１０は、一般的なサーバの構成を有し、記憶部に展開されたネットワーク管理プログラムによって制御部を動作させ、各部および各種手段を実現する。具体的には、ＲＡＭ（主メモリ）上にネットワーク管理プログラムを展開し、ネットワーク管理プログラムに基づいて、ＣＰＵやメモリ、ネットワークインタフェース等のハードウェアを動作させ、イベント受信部１１、制御ポリシー取得部１２、制御ポリシーＤＢ１３、制御判別部１４、ネットワーク状態管理部１５、および電源制御部１６として機能させる。
【００１９】
イベント受信部１１は、センサ装置４０からの検出結果をイベントとして受信し、制御ポリシー取得部１２に受信情報として通知する。  
制御ポリシー取得部１２は、制御ポリシーＤＢ１３から、受信情報に応じた制御情報を取得し、制御判別部１４に通知する。  
制御ポリシーＤＢ１３では、センサ装置４０の検出範囲、各装置の接続情報、ネットワークトポロジ情報、ネットワークサービスを利用するクライアントコンピュータ１００のIPアドレス情報、電源制御パターンの情報などを制御ポリシーとして管理する。  
制御判別部１４では、ネットワーク状態管理部１５にネットワーク状況の確認を通知し、その結果に応じて電源管理部１６に電源制御を通知する。
【００２０】
ネットワーク状態管理部１５では、ICMP（Internet Control Message Protocol）やSNMP（Simple Network Management Protocol）を用いて定期的に各装置の状態変化を監視し、ネットワークの状態を制御判別部１５に通知する。
【００２１】
電源制御部１６は、電源供給装置３０にリモート接続し、ネットワーク中継装置２０への電源供給制御を実施する。  
図３は、制御ポリシーＤＢにて管理する管理データの一例を示す説明図である。制御ポリシーＤＢ１３には、検出エリア（センサ装置）とイベント種別に対応付けられて、その検出エリアに、ネットワークサービスを提供するネットワーク装置に関する情報、その装置の電源制御に関する情報、検出エリアに対するネットワークサービスの提供に必要な上位装置に関する情報、そのネットワーク装置にネットワーク接続する装置に関する情報、各種装置のイベント受信時の状態に関する情報などが記録されている。
【００２２】
図４は、センサ装置４０の構成例を示すブロック図である。  
センサ装置４０は、制御部によって、所定のセンサ検出範囲の状況を検出するセンサからの検出信号を検知し、当該検知した値に基づいてイベント記憶部に記録されているネットワークサービスの提供又は停止のイベント種別を取得し、イベント送信部を用いて、ネットワークを介して通信可能なネットワーク管理サーバに、検出結果をイベントとして送信する。
【００２３】
センサ装置４０は、例えば、所定の室内で用いられる光感知センサを有するセンサ装置であっても良い。この場合は、センサによって、照明の点灯／消灯の変化を検知して、室内の人間の有無を確認する。  
センサ装置４０の別の例としては、所定の室内で用いられる赤外線センサを有するセンサ装置であっても良い。この場合は、センサによって、人間の動作に基づいて放出される赤外線の変化を検知して、室内に人間に有無を確認する。また、室内の出入り口にセンサを設けて、入出者数と退出者数とから室内に人間に有無を確認するようにしても良い。  
更にセンサ装置４０の別の例としては、所定の室内の入退室管理で用いられるゲートセンサを有するセンサ装置であっても良い。この場合は、センサによって、ＩＣカードや磁気カードなどを読取り、入室者数と退室者数とから室内に人間に有無を確認するようにしても良い。また、入出者のセキュリティーレベルを取得するようにして、セキュリティー権限に基づいて、ネットワークを使用可能な利用者を確認するようにしても良い。  
更にセンサ装置４０の別の例としては、所定の室内の全てを画角とするカメラセンサ（イメージセンサ：撮像素子）であっても良い。この場合は、センサによって、画像（映像）を取得し、取得した画像を解析することで、室内に人間に有無を確認可能としても良い。また、画像認識によって入出者のセキュリティーレベルを取得して、セキュリティー権限に基づいて、ネットワークを使用可能な利用者を確認するようにしても良い。
【００２４】
センサ装置は、光センサ、撮像素子、赤外線センサ、ＩＣカードリーダなどの組み合わせを用いて、所定のセンサ検出範囲の状況を検出して、その検出結果をイベントとしてネットワーク管理サーバ１０に通知するようにしても良い。
【００２５】
次に、ネットワークシステム１の動作を説明する。  
本動作説明で用いるセンサ装置４０は、光センサを有して、室内灯の点灯を検出した場合に提供イベントを送信し、室内灯の消灯を検出した場合に停止イベントを送信する。尚、他のセンサを用いる場合も、ネットワーク管理サーバ１０は、概ね同様の動作を行なう。
【００２６】
（停止（消灯）イベントを受信した場合）  
図５は、ネットワーク管理サーバ１０の停止イベントを受信した場合の処理を示すフローチャートである。  
ここで、ネットワーク中継装置２０はインテリジェントスイッチとし、クライアントコンピュータ１００は、図示しないDHCP（Dynamic Host Configuration Protocol）サーバによって192.168.1.20〜220の範囲内のIPアドレスが割り当てられることとして説明する。
【００２７】
ネットワーク管理サーバ１０の制御部は、イベント受信部１１を用いて、センサ装置４０の発したイベント種別を受信し、イベントを送出したセンサ装置４０（検出範囲）を識別すると共に停止イベントが発生したと認識する（ステップＳ５０１）。  
ネットワーク管理サーバ１０は、制御ポリシー取得部１２を用いて、制御ポリシーＤＢ１３から、識別したセンサ装置４０からの通知情報に基づき、該当するセンサ検出範囲内にネットワークを提供しているネットワーク中継装置２０に関する情報、ネットワーク中継装置２０の電源制御に関する情報、および管理対象となるクライアントコンピュータへのネットワーク接続の情報などを取得する（Ｓ５０２）。  
次にネットワーク管理サーバ１０は、ネットワーク状態管理部１５を用いて、ネットワーク中継装置２０のポート１〜２０のアップ／ダウンの確認を実施し（ステップＳ５０３）、SNMP等を利用してネットワーク中継装置２０のポートの状態を確認する。確認対象のポートのうちアップ状態のものがあった場合は、ネットワーク接続の停止を中止するか、一定時間まってから再度確認処理を実施する。全てのポートのダウンを検出した後、クライアントコンピュータの接続なしを検知する（ステップＳ５０４）。  
ここでは、インテリジェントスイッチであるネットワーク中継装置２０に直接クライアントコンピュータ１００が接続しているため、ネットワーク中継装置２０の接続ポートのアップ／ダウン状態を確認することでクライアントコンピュータ１００の接続有無を判断できる。尚、ネットワーク使用状態の確認は、ネットワーク中継装置の種類毎に定まり、上記方法に限定するものではない。
【００２８】
また、ネットワーク中継装置２０は、省電力モード（処理性能を落とす代わりに、消費電力量を低下させる）機能を保持していることを識別できる為、現在使用されているポート（物理ポート）のみを動作させて、他のポートに起因する処理を停止させることも可能となる。  
ネットワーク管理サーバ１０は、制御判別部１４を用いて、ネットワーク中継装置２０に接続しているクライアントコンピュータ１００の状態を制御ポリシーＤＢ１３に記録し、電源制御部１６を用いて電源制御可能か判断し、加えて実施する電源供給装置３０に対する制御方法（電源供給装置コマンドパターン１）を判断する（ステップＳ５０５）。尚、電源供給装置３０に対する制御方法は、制御ポリシーＤＢ１３から取得しても良いが、ネットワークシステムにおける全てのネットワーク中継装置の電源制御方法が単一の場合には、予めその方法をプログラミングしておいても構わない。  
ネットワーク管理サーバ１０は、電源制御部１６を用いて、電源供給装置３０に対する制御方法に基づき、電源供給装置３０を操作し、電源供給装置３０からの停止結果を取得する（ステップＳ５０６）。このとき、電源供給装置３０は、ネットワーク管理サーバ１０からの指示に基づき、ネットワーク中継装置２０への電源供給を停止する。また、電源供給装置３０は、停止結果を制御判別部１４に通知する。  
ネットワーク管理サーバ１０は、制御判別部１４を用いて、電源制御結果に従いネットワーク中継装置２０の電源がオフとなったことを制御ポリシーＤＢ１３に記録し、今回の制御で他に電源制御対象になる装置がないかの確認を実施する（ステップＳ５０７）。  
ネットワーク管理サーバ１０は、制御ポリシー取得部１２を用いて、制御ポリシーＤＢ１３にアクセスし、ネットワーク中継装置２０の電源オフに伴い発生する電源制御の有無を確認する（ステップＳ５０８）。  
ネットワーク管理サーバ１０は、制御判別部１４を用いて、制御ポリシーに基づいて、他の制御対象装置の有無を確認し、他に制御対象装置が有る場合にはその制御対象について電源制御する（ステップＳ５０９）。  
ここでは、他に制御対象になるものはないため、処理を終了する。尚、他の制御対象装置を有する構成の説明は、他の実施形態を用いて後述する。
【００２９】
以上のように、ネットワーク管理サーバ１０がセンサ装置４０から通知される停止イベントを検出した場合に、ネットワーク中継装置２０とクライアントコンピュータ１００との通信状態を確認してネットワーク使用状態を判別し、クライアントコンピュータ１００が動作していない場合や接続がない場合はネットワークサービスを提供する必要がないため、電源供給装置３０を制御してネットワーク中継装置２０への電源供給を停止することによって、既存のネットワークサービスを提供するネットワーク中継装置に対して有効に電源制御を行える。
【００３０】
（供給（点灯）イベントを受信した場合）  
図６は、ネットワーク管理サーバ１０の提供イベントを受信した場合の処理を示すフローチャートである。  
ここで、提供イベントを送信するセンサ装置４０の検出可能範囲に、ネットワークを提供するネットワーク中継装置２０は、上述の停止イベント時の説明と同様にインテリジェントスイッチとし、ネットワークの提供を受ける対象も上述の停止イベント時の説明と同様にクライアントコンピュータ１００であるものとする。
【００３１】
上述したネットワーク中継装置２０が電源オフまたは省電力モードで、センサ装置４０で提供イベントを送信した場合を以下に説明する。  
ネットワーク管理サーバ１０の制御部は、イベント受信部１１を用いて、センサ装置４０の発したイベント種別を受信し、センサ装置４０（検出範囲）を識別すると共に提供イベントが発生したと認識する（ステップＳ６０１）。  
ネットワーク管理サーバ１０は、制御ポリシー取得部１２を用いて、制御ポリシーＤＢ１３から、識別したセンサ装置４０からの通知情報に基づき、該当するセンサ検出範囲内にネットワークを提供しているネットワーク中継装置２０に関する情報、ネットワーク中継装置２０の電源制御に関する情報、および上位に設置されている関連するネットワーク装置に関する情報などを制御ポリシーとして取得する（Ｓ６０２）。  
ネットワーク管理サーバ１０は、制御判別部１４を用いて、ネットワーク中継装置２０に電源供給する為に、電源供給装置３０に対する制御方法（コマンドパターン２）を判断する（ステップＳ６０３）。  
ネットワーク管理サーバ１０は、電源制御部１６を用いて、電源供給装置３０に対する制御方法に基づき、電源供給装置３０を操作し、電源供給装置３０からの供給結果を取得する（ステップＳ６０４）。このとき、電源供給装置３０は、ネットワーク管理サーバ１０からの通知情報に基づき、ネットワーク中継装置２０への電源供給を開始する。また、電源供給装置３０は、供給結果を制御判別部１４に通知する。このとき、電源供給されたネットワーク中継装置２０は、ＩＰアドレスの設定等の通常の初期設定を実施して起動する。  
ネットワーク管理サーバ１０は、制御判別部１４を用いて、電源制御結果に従いネットワーク中継装置２０の電源がオンとなったことを制御ポリシーＤＢ１３に記録する（ステップＳ６０５）。  
ネットワーク管理サーバ１０は、制御判別部１４を用いて、制御ポリシーに基づいて、他の制御対象装置の有無を確認し、他に制御対象装置が有る場合にはその制御対象装置について電源制御を適時実施する（ステップＳ６０６）。  
ここでは、他に制御対象になるものはないため、処理を終了する。
【００３２】
以上のように、ネットワーク管理サーバ１０がセンサ装置４０から通知される提供イベントを検出した場合に、ネットワーク中継装置２０のネットワーク接続状態を判別し、適時電源供給装置３０を制御してネットワーク中継装置２０への電源供給を開始することによって、既存のネットワークサービスを提供するネットワーク中継装置に対して有効に電源制御を行える。
【００３３】
次に、別の実施の一形態であるネットワークシステム２を示し、発明を説明する。尚、ネットワークシステム１と同一部分には同一符号を付して、説明を簡略化または省略する。
【００３４】
図７は、別の実施の一形態のネットワークシステム２を示す構成図である。図に示すように、ネットワークシステム２は、ネットワーク管理サーバ１０、ネットワーク中継装置２１ないし２３、電源供給装置３０、カメラセンサ装置４１、赤外線センサ装置４２、ネットワーク５０、アプリケーションサーバ６０、データベースサーバ７０で構成される。また、ネットワークシステム２には、カメラセンサ装置４１の有するセンサの検出範囲内に、ネットワーク中継装置２２を介して他の情報処理装置と通信する複数台のクライアントコンピュータ１００が接続されている。同様に、赤外線センサ装置４２の有するセンサの検出範囲内に、ネットワーク中継装置２３を介して他の情報処理装置と通信する複数台のクライアントコンピュータ１００が接続されている。
【００３５】
ネットワーク中継装置２１は、ネットワーク中継装置２２及び２３の上位装置として動作し、ネットワーク中継装置２２及び２３をネットワーク５０に接続する。また、ネットワーク中継装置２１は、インテリジェント型のネットワーク中継装置であって、自らの判断又は外部からの指示によって省電力機能を動作させる。
【００３６】
ネットワーク中継装置２２は、電源供給装置３０から電源供給を受けて、カメラセンサ装置４１の検出可能範囲に対して、ネットワーク接続を提供可能とする。  
ネットワーク中継装置２３は、電源供給装置３０から電源供給を受けて、赤外線センサ装置４２の検出可能範囲に対して、ネットワーク接続を提供可能とする。  
尚、各センサ装置のセンサ検出範囲にネットワーク接続を提供するネットワーク中継装置は、図に示すようにセンサ検出範囲の中に設けても良いし、センサ検出範囲の外からセンサ検出範囲内にネットワーク接続を提供するようにしても良い。
【００３７】
各センサ装置４１及び４２は、それぞれ、画像解析、赤外線探知等を実施して、検出範囲の人間や情報処理装置の状況を検出し、検出範囲内にネットワークサービスを提供するか否かを確認するタイミングをイベントとして、ネットワーク管理サーバ１０に送信する。
【００３８】
アプリケーションサーバ６０及びデータベースサーバ７０は、ネットワーク中継装置を介してセンサ装置のセンサ検出範囲に提供されるネットワークに対して、ネットワークサービスを提供する。尚、アプリケーションサーバ６０は、カメラセンサ装置４１のセンサ検出範囲内に対してのみネットワークサービスを提供するサーバである。
【００３９】
ネットワーク管理サーバ１０は、例えばセンサ装置４１からのイベントの受信タイミングに基づいて、ネットワークサービスを提供するアプリケーションサーバ６０のサービスを中継するネットワーク中継装置２１及び２２を判別する。当該判別は、アプリケーションサーバ６０がクライアントコンピュータ１００にサービスを提供できる状態か判別し、ネットワーク中継装置が停止等でサービスを提供できない状態であれば、サーバを停止又は休止させる。  
また、ネットワーク管理サーバ１０は、制御ポリシーに基づいて、ネットワーク中継装置が複数段に構成されている場合、センサ装置４１又は４２から通知されるイベントの受信タイミングで、末端（下段）のネットワーク中継装置２２又は２３の使用状況を確認する。ネットワーク管理サーバ１０は、確認結果に基づいて、ネットワーク中継装置２２又は２３の上位装置であるネットワーク中継装置２１、アプリケーションサーバ６０及びデータベースサーバ７０の使用状況を確認し、電源供給装置３０等を制御してネットワーク中継装置２１ないし２３、アプリケーションサーバ６０及びデータベースサーバ７０への電源供給を制御する。このとき、ネットワーク中継装置の電源の停止時、即ち、ネットワークの停止時には末端（下段）から順に停止し、ネットワークの回復時には上位から順に動作させる。
【００４０】
次に、ネットワークシステム２の動作を説明する。  
本動作説明で用いるセンサ装置は、カメラセンサ装置４１及び赤外線センサ装置４２であって、それぞれ、検出値に基づいて、停止イベント又は提供イベントを送信する。また、ネットワーク管理サーバ１０には、図８に例示する制御ポリシーが制御ポリシーＤＢ１３に記録されている。
【００４１】
（停止イベントを受信した場合）  
ネットワーク管理サーバ１０の制御部は、イベント受信部１１を用いて、センサ装置４１の発したイベント種別を受信し、センサ装置４１（検出エリア２）を識別すると共に停止イベントが発生したと認識すると、受信したイベントに基づいて、検出エリア２内のネットワークサービスを停止するか否かを確認する。
【００４２】
詳しくは、ネットワーク管理サーバ１０の制御部は、ネットワーク管理プログラムに従い、制御ポリシー取得部１２を用いて、制御ポリシーＤＢ１３から、識別したセンサ装置４１からの通知情報に基づき、該当する検出エリア内にネットワークを提供しているネットワーク中継装置２２に関する情報、ネットワーク中継装置２２の電源制御に関する情報、上位装置の情報、下位装置に対するネットワーク接続の情報などを取得する。  
ネットワーク管理サーバ１０は、ネットワーク状態管理部１５を用いて、ネットワーク中継装置２２の使用状態を検出して、クライアントコンピュータ１００や、ネットワーク中継装置２２の上位装置であるネットワーク中継装置２１、ネットワーク中継装置２２を介してクライアントコンピュータ１００に対するネットワークサービスを提供するサーバ６０のネットワークサービスの現在の状態を把握する。  
尚、上記動作に変えて、ネットワーク管理サーバ１０の制御部が、ネットワーク中継装置２２の使用状態を取得するため、ネットワーク中継装置２２を介する通信の通信経路を参照して、上位装置（上位ネットワーク中継装置、サーバなど）や下位装置（下位ネットワーク中継装置、クライアントコンピュータなど）との接続状態、通信状態などから、ネットワーク中継装置２２の使用状態を判別しても良い。即ち、ネットワーク中継装置が使用されていれば、ネットワーク中継装置の上位装置と下位装置とが通信を行なうので、上位装置にネットワーク中継装置又は下位装置との通信の有無を確認すれば、通信経路が予め定められているネットワークにおいては、ネットワーク中継装置の使用状態を判別できる。
【００４３】
ネットワーク管理サーバ１０は、制御判別部１４を用いて、ネットワーク中継装置２０の使用状態に関する情報を制御ポリシーＤＢ１３に記録し、電源制御部１６を用いて電源制御するか判断（確認）し、加えて実施する電源供給装置３０に対する制御方法を取得する。
【００４４】
確認の結果、ネットワーク中継装置２２が使用中であった場合には、ネットワーク接続の停止を中止するか、一定時間まってから再度確認処理を実施する。
【００４５】
ネットワーク管理サーバ１０は、電源制御部１６を用いて、電源供給装置３０を操作し、電源供給装置３０からの停止結果を取得する。このとき、電源供給装置３０は、ネットワーク管理サーバ１０からの指示に基づき、ネットワーク中継装置２２への電源供給を停止する。また、電源供給装置３０は、停止結果を制御判別部１４に通知する。尚、ネットワーク管理サーバ１０は、確認結果に基づき、電源を停止する権限があって、ネットワーク中継装置２２よりも先に電源を停止する必要がある下位装置があれば、先に電源処理を行う。  
ネットワーク管理サーバ１０は、制御判別部１４を用いて、電源制御結果に従いネットワーク中継装置２２の電源がオフとなったことを制御ポリシーＤＢ１３に記録し、今回の制御で他に電源制御対象になる装置がないかを確認し、制御ポリシーに基づき、ネットワーク中継装置２２の電源オフに伴い、ネットワークサービスの提供に用いていたアプリケーションサーバ６０の電源を停止させて良いことを判別し、アプリケーションサーバ６０を休止又は停止させる。
【００４６】
上記ネットワーク管理サーバ１０における処理を換言すれば、センサ装置４１から通知されるイベントに基づいて、ネットワーク中継装置２２の動作状況を確認し、確認結果に基づいて、ネットワーク中継装置２２への電源供給を制御すると共に、ネットワーク中継装置２２の上位装置の動作状況を確認し、確認結果に基づいて、上位装置であるアプリケーションサーバ６０の電源を制御する。
【００４７】
ここで、上記状態において、赤外線センサ装置４２で停止イベントが発生した場合を以下に示す。当該処理は、イベントの受信と共に開始する為、上記処理の途中であってもイベントの受信後下記処理を開始する。
【００４８】
ネットワーク管理サーバ１０は、赤外線センサ装置４２からの停止イベントを受信し、制御ポリシーを取得する。  
ネットワーク管理サーバ１０は、赤外線センサ装置４２に関連付けられているネットワーク中継装置２３がノンインテリジェントスイッチであるため、SNMPを利用したポート状態の確認によるクライアントコンピュータの有無の確認が出来ないことを判断し、ネットワーク中継装置２３の上位にあるネットワーク中継装置２１のMACアドレステーブルを参照し、実際の接続の有無をICMP（Internet Control Message Protocol）で確認して、ネットワーク中継装置２３の使用状態を確認する。当該動作に変えて、ＤＨＣＰサーバにクライアントコンピュータのＩＰアドレスを問い合わせて、ICMPで確認しても良い。  
ネットワーク管理サーバ１０は、ネットワーク中継装置２３にクライアントコンピュータ１００の接続がない、即ち、ネットワークを停止しても良いと判断できた場合は、制御ポリシーに基づき電源供給装置３０を用いて、ネットワーク中継装置２３への電源供給を停止する。
【００４９】
次に、他に制御対象がないかを制御ポリシーを検索して確認し、データベースサーバ７０に関連する下位装置（ネットワーク中継装置２２及びネットワーク中継装置２３）の状態が全てオフとなることから、データベースサーバ７０自体の電源も停止又は休止にできると判断し、制御を実施する。
【００５０】
当該制御を制御ポリシーＤＢ１３を用いて説明すれば、図９に示す状態から、データベースサーバ７０に関連する下位装置のネットワーク中継装置２３がオンからオフに変化することによって、ネットワークサービスにデータベースサーバ７０を用いる検出エリアが全て無くなったことをネットワーク管理サーバ１０が確認でき、当該タイミングでデータベースサーバ７０の電源管理を実施する。
【００５１】
データベースサーバ７０の電源を停止又は休止の状態にした場合、同様にネットワーク中継装置２１の関連する装置の状態も全てオフとなる。ネットワーク中継装置２１についてはネットワークの構成上、電源をオフにしないため、制御ポリシーに基づき、省電力モードへの切り替えを実施する。
【００５２】
以上のように、ネットワーク管理サーバ１０がセンサ装置４１及び４２から通知される停止イベントを検出した場合に、順次、ネットワーク中継装置２２及び２３の状態を確認して、ネットワークの使用がない場合に電源供給装置３０を制御してネットワーク中継装置２２及び２３への電源供給を停止することによって、既存のネットワークサービスを提供するネットワーク中継装置に対して有効に電源制御を行える。
【００５３】
（提供イベントを受信した場合）  
上述したネットワーク中継装置２１ないし２３が電源オフまたは省電力モードの場合に、センサ装置４１で提供イベントを送信した場合を以下に説明する。
【００５４】
ネットワーク管理サーバ１０の制御部は、イベント受信部１１を用いて、センサ装置４１又は４２の発したイベント種別を受信し、センサ装置４１又は４２を識別すると共に提供イベントが発生したと認識すると、受信したイベントに基づいて、ネットワーク中継装置２２又は２３の使用状態を確認し、検出範囲内のネットワークサービスを提供するか否かを確認（判別）する。
【００５５】
その後、ネットワーク管理サーバ１０は、判別結果に基づいて、電源供給装置３０を制御してネットワーク中継装置２２又は２３への電源供給を制御する。
【００５６】
このとき、ネットワーク中継装置２２又は２３のネットワーク提供に関連付けられている上位装置を合わせて制御するか判別し、上位装置がある場合は、上位装置のネットワーク接続を確認して優先して回復させてから、電源供給装置３０を制御してネットワーク中継装置２２又は２３への電源を供給する。
【００５７】
具体的には、ネットワーク管理サーバ１０は、上位装置の一つであるネットワーク中継装置２１の状況を確認して、制御ポリシーと異なる状態であった場合には、ネットワーク中継装置２１の電源制御を行う。また、他の上位装置も同様に扱う。
【００５８】
以上のように、ネットワーク管理サーバ１０がセンサ装置４１又は４２から通知された提供イベントを検出した場合に、ネットワーク中継装置２２又は２３の状態を判別し、必要に応じて上位装置の状態を判別し、ネットワークサービスを提供するか否かを確認して、確認結果に基づいて、上位装置やネットワーク中継装置の電源を制御することによって、既存のネットワークサービスを提供するネットワーク装置に対して有効に電源制御を行える。
【００５９】
上記動作を別の表現で説明すれば、ネットワーク管理サーバがセンサ装置からの提供イベントを受信した場合、制御ポリシーの情報に基づき、ネットワークサービスの提供に必要となる通信経路やサーバの動作状態の確認を順次実施して、停止や休止、省電力モードなどの装置を順番に電源をオンにしていき、イベントを送信したセンサ装置に関連する装置全ての状態を、ネットワークサービスの提供に必要な状態に変更する。他方、ネットワーク管理サーバがセンサ装置からの停止イベントを受信した場合、制御ポリシーの情報に基づき、ネットワークの末端から順に停止する。
【００６０】
以上、複数の実施の一形態を用いて説明したように、本発明によれば、様々な場所に設置したネットワーク中継装置の電源を、センサ装置からのイベント送信のタイミングに基づいて、自動的に適切にオン／オフ可能となる。また、利用するネットワークサービスの範囲に絞ったネットワーク中継装置及びサーバの電源管理を実施できる。
【００６１】
また、光センサを有するセンサ装置を用いることによって、フロアの照明の変化に連動して不要なネットワーク装置の電源管理を実施できる。  
また、赤外線センサを有するセンサ装置を用いることによって、人間の有無や情報処理装置の動作に連動して不要なネットワーク装置の電源管理を実施できる。  
また、カメラセンサやゲートセンサを用いるセンサ装置を用いることによって、人間の有無や入出者のセキュリティーレベルに基づいて不要なネットワーク装置の電源管理を実施できる。  
これにより、夜間や使用者の居ない場合などの不要な消費電力を削減でき、また、休日出勤など緊急な事態においても適切なタイミングで、複数のフロアやクライアントコンピュータから利用されるサーバの電源管理を的確に行なえる。
【００６２】
上記の様に、制御ポリシーに記録されているネットワークのトポロジなどの接続構成（関連装置）の情報に基づき、自動で電源制御する範囲を確認して電源制御動作を行なうことによって、適切なタイミングで各装置の電源制御を行え、不要な消費電力を削減することができる。
【００６３】
即ち、本発明によれば、既存のネットワークサービスを提供するネットワーク装置に対して有効に電源制御を行えるネットワークシステム、ネットワーク管理サーバ、ネットワーク管理プログラム、および電源管理方法を提供できる。
【００６４】
尚、上記実施の一形態では、サーバをＬＡＮ内のサーバとして記載したが、遠隔地の複数拠点から接続するようなＷＡＮサーバであって良い。
【００６５】
また、センサ装置は、所定の検出範囲の状況を検出して、検出範囲内にネットワークサービスを提供するか否かを確認するタイミングを送信するものであれ、どの様なセンサ装置であっても構わない。  
また、ネットワーク中継装置は、有線に限定せずとも、無線を用いるものでも良い。  
また、ネットワーク中継装置に接続する下位装置は、利用者が使用するクライアントコンピュータ以外にも、ネットワーク案内掲示版やネットワークプリンタ、サーバなどでも良い。
【００６６】
本発明の具体的な構成は前述の実施の形態に限られるものではなく、この発明の要旨を逸脱しない範囲の変更があってもこの発明に含まれる。
【産業上の利用可能性】
【００６７】
本発明は、既存のネットワーク装置の電源を制御するネットワークシステムとして、例えば、電力消費をおさえたい企業や大学などのネットワークシステムに好適である。
【符号の説明】
【００６８】
１      ネットワークシステム
２      ネットワークシステム
１０    ネットワーク管理サーバ
１１    イベント受信部
１２    制御ポリシー取得部
１３    制御ポリシーＤＢ
１４    制御判別部
１５    ネットワーク状態管理部
１６    電源制御部
２０    ネットワーク中継装置（ネットワーク装置）
２１    ネットワーク中継装置（ネットワーク装置）
２２    ネットワーク中継装置（ネットワーク装置）
２３    ネットワーク中継装置（ネットワーク装置）
３０    電源供給装置
４０    センサ装置
４１    カメラセンサ装置
４２    赤外線センサ装置
５０    ネットワーク
６０    アプリケーションサーバ（ネットワーク装置）
７０    データベースサーバ（ネットワーク装置）
１００  クライアントコンピュータ
【図１】
2010212829.tif 000003
【図２】
2010212829.tif 000004
【図３】
2010212829.tif 000005
【図４】
2010212829.tif 000006
【図５】
2010212829.tif 000007
【図６】
2010212829.tif 000008
【図７】
2010212829.tif 000009
【図８】
2010212829.tif 000010
【図９】
2010212829.tif 000011